(57)【要約】【課題】センサ付き表示装置においてモアレの発生を防止又は低減する。【解決手段】一実施形態のセンサ付き表示装置は、単位画素が第１方向に第１画素ピッチで配列され、第２方向に第２画素ピッチで配列された表示領域を有する表示パネルと、細線片にて構成される電極パターンを有する検出電極を備える。電極パターンは、細線片の接続点を複数有し、各接続点の少なくとも一部が第１方向における配置間隔が第１接続点ピッチとなり且つ第２方向における配置間隔が第２接続点ピッチとなるように直線状に配列される。第１接続点ピッチは、０.５×第１画素ピッチ×（整数−０.０５）以上かつ０.５×第１画素ピッチ×（整数＋０.０５）以下を除く範囲で定められ、第２接続点ピッチは０.５×第２画素ピッチ×（整数−０.０５）以上かつ０.５×第２画素ピッチ×（整数＋０.０５）以下を除く範囲で定められる。【選択図】    図１１
2015232818.tif 000002
【特許請求の範囲】
【請求項１】
それぞれ異なる色に対応する複数の副画素で構成される単位画素が、第１方向に沿って第１画素ピッチで配列されるとともに、第２方向に沿って第２画素ピッチで配列された表示領域を有する表示パネルと、
前記表示領域と平行な検出面に配置された導電性の細線片にて構成される電極パターンを有する、前記検出面への物体の近接又は接触を検出するための検出電極と、
を備え、
前記電極パターンは、複数の前記細線片の端部が接続される接続点を複数有するとともに、これら複数の接続点の少なくとも一部が、前記第１方向における配置間隔が第１接続点ピッチとなり、かつ前記第２方向における配置間隔が第２接続点ピッチとなるように直線状に配列されたパターンであり、
前記第１接続点ピッチは、０.５×前記第１画素ピッチ×（整数−０.０５）以上かつ０.５×前記第１画素ピッチ×（整数＋０.０５）以下を除く範囲で定められ、
前記第２接続点ピッチは、０.５×前記第２画素ピッチ×（整数−０.０５）以上かつ０.５×前記第２画素ピッチ×（整数＋０.０５）以下を除く範囲で定められた、
センサ付き表示装置。
【請求項２】
前記第１接続点ピッチは、０.５×前記第１画素ピッチ×（整数−０.１）以上かつ０.５×前記第１画素ピッチ×（整数＋０.１）以下を除く範囲で定められ、
前記第２接続点ピッチは、０.５×前記第２画素ピッチ×（整数−０.１）以上かつ０.５×前記第２画素ピッチ×（整数＋０.１）以下を除く範囲で定められた、
請求項１に記載のセンサ付き表示装置。
【請求項３】
前記電極パターンは、前記第１方向に対する傾きがそれぞれ異なる第１の細線片及び第２の細線片を交互に配置し、隣り合う前記第１の細線片及び第２の細線片の端部を接続したパターンであり、
前記直線状に配列された接続点は、前記第１の細線片の端部と前記第２の細線片の端部とを接続する接続点である、
請求項１に記載のセンサ付き表示装置。
【請求項４】
前記電極パターンは、複数の前記細線片にて閉じられた輪郭の単位パターンを複数含み、
隣り合う前記単位パターンの輪郭は、少なくとも１つの前記細線片を共有する、
請求項１に記載のセンサ付き表示装置。
【請求項５】
前記電極パターンは、複数の前記細線片にて閉じられた輪郭の複数種類の単位パターンを含み、
前記複数種類の単位パターンの輪郭は、それぞれ異なる形状である、
請求項１に記載のセンサ付き表示装置。
【請求項６】
前記電極パターンは、１８０°よりも大きい内角を少なくとも１つ有する多角形の輪郭の単位パターンを複数含む、
請求項１に記載のセンサ付き表示装置。
【請求項７】
前記検出電極との間で容量を形成する駆動電極と、
前記容量の変化に基づいて前記検出面への物体の近接又は接触を検出する検出回路と、を備え、
前記細線片は、金属材料にて形成され、
前記駆動電極は、透光性材料にて形成されるとともに、前記表示領域の法線方向において前記検出電極と異なる層に配置され、誘電体を挟んで前記検出電極と対向する、
請求項１に記載のセンサ付き表示装置。
【請求項８】
前記表示パネルは、前記検出電極との間で容量を形成する共通電極と、前記副画素ごとに設けられるとともに絶縁膜を介して前記共通電極と対向する画素電極と、を備え、
前記容量の変化に基づいて前記検出面への物体の近接又は接触を検出する検出回路と、
前記副画素を駆動するための第１駆動信号、及び、前記容量を形成して前記検出面への物体の近接又は接触を前記検出回路に検出させるための第２駆動信号を選択的に前記共通電極に供給する駆動回路と、
をさらに備える、請求項１に記載のセンサ付き表示装置。
【発明の詳細な説明】
【技術分野】
【０００１】
本発明の実施形態は、センサ付き表示装置に関する。
【背景技術】
【０００２】
物体の接触あるいは接近を検出するセンサ（タッチパネルと称される場合もある）を備えたセンサ付き表示装置が実用化されている。センサの一例として、誘電体を介して向かい合う検出電極と駆動電極との間の容量の変化に基づいて物体の接触等を検出する静電容量型センサがある。
【０００３】
表示領域で物体の接触等を検出するために、検出電極及び駆動電極は、表示領域と重なるように配置される。このように配置された検出電極及び駆動電極が表示領域に含まれる画素と干渉し、いわゆるモアレが発生することがある。
【先行技術文献】
【特許文献】
【０００４】
【特許文献１】特開２０１２−１６４６４８号公報
【特許文献２】特開２０１２−１６３９５１号公報
【特許文献３】特開２０１３−２２５１９５号公報
【発明の概要】
【発明が解決しようとする課題】
【０００５】
本発明が解決しようとする課題は、モアレの発生を防止ないしは低減することが可能なセンサ付き表示装置を提供することである。
【課題を解決するための手段】
【０００６】
一実施形態におけるセンサ付き表示装置は、それぞれ異なる色に対応する複数の副画素で構成される単位画素が、第１方向に沿って第１画素ピッチで配列されるとともに、第２方向に沿って第２画素ピッチで配列された表示領域を有する表示パネルと、上記表示領域と平行な検出面に配置された導電性の細線片にて構成される電極パターンを有する、上記検出面への物体の近接又は接触を検出するための検出電極と、を備える。上記電極パターンは、複数の上記細線片の端部が接続される接続点を複数有するとともに、これら複数の接続点の少なくとも一部が、上記第１方向における配置間隔が第１接続点ピッチとなり、かつ上記第２方向における配置間隔が第２接続点ピッチとなるように直線状に配列されたパターンである。上記第１接続点ピッチは、０.５×上記第１画素ピッチ×（整数−０.０５）以上かつ０.５×上記第１画素ピッチ×（整数＋０.０５）以下を除く範囲で定められ、上記第２接続点ピッチは、０.５×上記第２画素ピッチ×（整数−０.０５）以上かつ０.５×上記第２画素ピッチ×（整数＋０.０５）以下を除く範囲で定められる。
【図面の簡単な説明】
【０００７】
【図１】図１は、第１実施形態に係るセンサ付き表示装置の構成を概略的に示す斜視図である。
【図２】図２は、上記表示装置の基本構成及び等価回路を概略的に示す図である。
【図３】図３は、上記表示装置の副画素の等価回路を概略的に示す図である。
【図４】図４は、上記表示装置の一部の構造を概略的に示す断面図である。
【図５】図５は、上記表示装置が備えるセンサの構成を概略的に示す平面図である。
【図６】図６は、上記表示装置が備えるセンサによるセンシングの原理（ミューチャル検出方式）を説明するための図である。
【図７】図７は、上記表示装置が備えるセンサによるセンシングの原理（セルフ検出方式）を説明するための図である。
【図８】図８は、上記表示装置が備えるセンサによるセンシングの原理（セルフ検出方式）を説明するための図である。
【図９】図９は、上記セルフ検出方式におけるセンサの駆動方法の具体例を説明するための図である。
【図１０】図１０は、上記表示装置が備えるセンサの検出電極がマトリクス状に配列された例を概略的に示す図である。
【図１１】図１１は、表示領域に配置された単位画素及び電極パターンの一例を示す模式図である。
【図１２】図１２は、表示領域に配置された単位画素及び電極パターンの他の例を示す模式図である。
【図１３】図１３は、電極パターンと表示領域のモアレを評価した結果を示す図である。
【図１４】図１４は、電極パターンと表示領域のモアレを評価した結果を示す図である。
【図１５】図１５は、第２実施形態に係る電極パターンの一部を示す模式図である。
【図１６】図１６は、第３実施形態に係る電極パターンの一部を示す模式図である。
【図１７】図１７は、第４実施形態に係る電極パターンの一部を示す模式図である。
【図１８】図１８は、第５実施形態に係る電極パターンの一部を示す模式図である。
【図１９】図１９は、第６実施形態に係る電極パターンの一部を示す模式図である。
【図２０】図２０は、第７実施形態に係る電極パターンの一部を示す模式図である。
【図２１】図２１は、第８実施形態に係る電極パターンの一部を示す模式図である。
【図２２】図２２は、第９実施形態に係る電極パターンの一部を示す模式図である。
【図２３】図２３は、第１０実施形態に係る電極パターンの一部を示す模式図である。
【図２４】図２４は、第１１実施形態に係る電極パターンの一部を示す模式図である。
【図２５】図２５は、第１２実施形態に係る電極パターンの一部を示す模式図である。
【図２６】図２６は、第１３実施形態に係る電極パターンの一部を示す模式図である。
【図２７】図２７は、変形例１に係る表示領域の一部を示す模式図である。
【図２８】図２８は、変形例２に係る表示領域の一部を示す模式図である。
【発明を実施するための形態】
【０００８】
いくつかの実施形態につき、図面を参照しながら説明する。  
なお、開示はあくまで一例にすぎず、当業者において、発明の主旨を保っての適宜変更であって容易に想到し得るものについては、当然に本発明の範囲に含有される。また、図面は説明をより明確にするため、実際の態様に比べ、各部の幅、厚さ、形状等について模式的に表す場合があるが、あくまで一例であって、本発明の解釈を限定するものではない。また、本明細書と各図において、同一又は類似の構成要素には同一の符号を付し、詳細な説明を省略することがある。
（第１実施形態）
図１は、第１実施形態に係るセンサ付き表示装置の構成を概略的に示す斜視図である。なお、本実施形態においては、表示装置が液晶表示装置である場合について説明するが、これに限らず、有機エレクトロルミネッセンス表示装置等の自発光型表示装置、あるいは電気泳動素子等を有する電子ペーパ型表示装置等、あらゆるフラットパネル型の表示装置であってもよい。また、本実施形態に係るセンサ付き表示装置は、例えばスマートフォン、タブレット端末、携帯電話端末、ノートブックタイプのパーソナルコンピュータ、ゲーム機器等の種々の装置に用いることができる。
【０００９】
液晶表示装置ＤＳＰは、アクティブマトリクス型の液晶表示パネルＰＮＬ、液晶表示パネルＰＮＬを駆動する駆動ＩＣチップＩＣ１、静電容量型のセンサＳＥ、センサＳＥを駆動する駆動ＩＣチップＩＣ２、液晶表示パネルＰＮＬを照明するバックライトユニットＢＬ、制御モジュールＣＭ、フレキシブル配線基板ＦＰＣ１，ＦＰＣ２，ＦＰＣ３などを備える。
【００１０】
液晶表示パネルＰＮＬは、第１基板ＳＵＢ１と、第１基板ＳＵＢ１に対向配置された第２基板ＳＵＢ２と、第１基板ＳＵＢ１と第２基板ＳＵＢ２との間に挟持された液晶層（後述する液晶層ＬＱ）と、を備える。なお、本実施形態において、第１基板ＳＵＢ１をアレイ基板と、第２基板ＳＵＢ２を対向基板と、それぞれ言い換えることができる。液晶表示パネルＰＮＬは、画像を表示する表示領域（アクティブエリア）ＤＡを備える。この液晶表示パネルＰＮＬは、バックライトユニットＢＬからのバックライト光を選択的に透過することで画像を表示する透過表示機能を備えた透過型である。なお、液晶表示パネルＰＮＬは、透過表示機能に加えて、外光を選択的に反射することで画像を表示する反射表示機能を備えた半透過型であってもよい。
【００１１】
バックライトユニットＢＬは、第１基板ＳＵＢ１の背面側に配置される。このようなバックライトユニットＢＬとしては、光源として発光ダイオード（ＬＥＤ）を利用したものなど種々の形態が適用可能である。なお、液晶表示パネルＰＮＬが反射表示機能のみを備えた反射型である場合、液晶表示装置ＤＳＰはバックライトユニットＢＬを備えない。
【００１２】
センサＳＥは、複数の検出電極Ｒｘを備える。これらの検出電極Ｒｘは、例えば液晶表示パネルＰＮＬの表示面の上方において、表示面と平行な検出面（Ｘ−Ｙ平面）に設けられている。図示した例では、各検出電極Ｒｘは、概ねＸ方向に延出し、Ｙ方向に並んでいる。なお、各検出電極Ｒｘは、Ｙ方向に延出しＸ方向に並んでいてもよいし、島状に形成されＸ方向及びＹ方向にマトリクス状に配置されていてもよい。ここでは、Ｘ方向及びＹ方向は、互いに直交している。
【００１３】
駆動ＩＣチップＩＣ１は、液晶表示パネルＰＮＬの第１基板ＳＵＢ１上に搭載されている。フレキシブル配線基板ＦＰＣ１は、液晶表示パネルＰＮＬと制御モジュールＣＭとを接続している。フレキシブル配線基板ＦＰＣ２は、センサＳＥの検出電極Ｒｘと制御モジュールＣＭとを接続している。駆動ＩＣチップＩＣ２は、フレキシブル配線基板ＦＰＣ２上に搭載されている。フレキシブル配線基板ＦＰＣ３は、バックライトユニットＢＬと制御モジュールＣＭとを接続している。
【００１４】
図２は、図１に示した液晶表示装置ＤＳＰの基本構成及び等価回路を概略的に示す図である。液晶表示装置ＤＳＰは、液晶表示パネルＰＮＬなどに加えて、表示領域ＤＡの外側の非表示領域ＮＤＡにおいて、ソース線駆動回路ＳＤ、ゲート線駆動回路ＧＤ、共通電極駆動回路ＣＤなどを備える。
【００１５】
液晶表示パネルＰＮＬは、表示領域ＤＡにおいて、複数の副画素ＳＰＸを備える。複数の副画素ＳＰＸは、Ｘ方向及びＹ方向に沿ってｉ×ｊ（ｉ，ｊは正の整数）のマトリクス状に設けられる。各副画素ＳＰＸは、例えば赤色、緑色、青色、白色などの色に対応して設けられる。それぞれ異なる色に対応する複数の副画素ＳＰＸによって、カラー画像を構成する最小単位である単位画素ＰＸが構成される。また、液晶表示パネルＰＮＬは、表示領域ＤＡにおいて、ｊ本のゲート線Ｇ（Ｇ１〜Ｇｊ）、ｉ本のソース線Ｓ（Ｓ１〜Ｓｉ）、共通電極ＣＥなどを備える。
【００１６】
ゲート線Ｇは、Ｘ方向に略直線的に延出し、表示領域ＤＡの外側に引き出され、ゲート線駆動回路ＧＤに接続されている。また、ゲート線Ｇは、Ｙ方向に間隔を置いて並べられている。ソース線Ｓは、Ｙ方向に略直線的に延出し、表示領域ＤＡの外側に引き出され、ソース線駆動回路ＳＤに接続されている。また、ソース線Ｓは、Ｘ方向に間隔を置いて並べられ、ゲート線Ｇと交差している。なお、ゲート線Ｇ及びソース線Ｓは、必ずしも直線的に延出していなくてもよく、それらの一部が屈曲していてもよい。共通電極ＣＥは、表示領域ＤＡの外側に引き出され、共通電極駆動回路ＣＤに接続されている。この共通電極ＣＥは、複数の副画素ＳＰＸで共用される。共通電極ＣＥの詳細については後述する。
【００１７】
図３は、図２に示した副画素ＳＰＸの等価回路図である。各副画素ＳＰＸは、スイッチング素子ＰＳＷ、画素電極ＰＥ、共通電極ＣＥ、液晶層ＬＱなどを備える。スイッチング素子ＰＳＷは、例えば薄膜トランジスタで形成されている。スイッチング素子ＰＳＷは、ゲート線Ｇ及びソース線Ｓと電気的に接続されている。スイッチング素子ＰＳＷは、トップゲート型あるいはボトムゲート型のいずれであってもよい。また、スイッチング素子ＰＳＷの半導体層は、例えば、ポリシリコンによって形成されるが、アモルファスシリコンや酸化物半導体などによって形成されてもよい。画素電極ＰＥは、スイッチング素子ＰＳＷに電気的に接続されている。画素電極ＰＥは、共通電極ＣＥと対向している。共通電極ＣＥ及び画素電極ＰＥは、保持容量ＣＳを形成する。
【００１８】
図４は、液晶表示装置ＤＳＰの一部の構造を概略的に示す断面図である。液晶表示装置ＤＳＰは、上述した液晶表示パネルＰＮＬ及びバックライトユニットＢＬに加えて、第１光学素子ＯＤ１及び第２光学素子ＯＤ２なども備える。なお、図示した液晶表示パネルＰＮＬは、表示モードとしてＦＦＳ（Fringe Field Switching）モードに対応した構成を有しているが、他の表示モードに対応した構成を有していてもよい。
【００１９】
液晶表示パネルＰＮＬは、第１基板ＳＵＢ１、第２基板ＳＵＢ２、及び、液晶層ＬＱを備える。第１基板ＳＵＢ１と第２基板ＳＵＢ２とは所定のセルギャップを形成した状態で貼り合わされている。液晶層ＬＱは、第１基板ＳＵＢ１と第２基板ＳＵＢ２との間のセルギャップに保持されている。
【００２０】
第１基板ＳＵＢ１は、ガラス基板や樹脂基板などの光透過性を有する第１絶縁基板１０を用いて形成されている。第１基板ＳＵＢ１は、第１絶縁基板１０の面のうち第２基板ＳＵＢ２に対向する面に、ソース線Ｓ、共通電極ＣＥ、画素電極ＰＥ、第１絶縁膜１１、第２絶縁膜１２、第３絶縁膜１３、第１配向膜ＡＬ１などを備える。
【００２１】
第１絶縁膜１１は、第１絶縁基板１０の上に配置されている。なお、詳述しないが、第１絶縁基板１０と第１絶縁膜１１との間には、ゲート線Ｇ、スイッチング素子のゲート電極及び半導体層などが配置されている。ソース線Ｓは、第１絶縁膜１１の上に形成されている。また、スイッチング素子ＰＳＷのソース電極やドレイン電極なども第１絶縁膜１１の上に形成されている。
【００２２】
第２絶縁膜１２は、ソース線Ｓ及び第１絶縁膜１１の上に配置されている。共通電極ＣＥは、第２絶縁膜１２の上に形成されている。このような共通電極ＣＥは、インジウム錫酸化物（Indium Tin Oxide:ＩＴＯ）やインジウム亜鉛酸化物（Indium Zinc Oxide:ＩＺＯ）などの透明な導電材料によって形成されている。なお、図示した例では、共通電極ＣＥの上に金属層ＭＬが形成され、共通電極ＣＥを低抵抗化しているが、金属層ＭＬは省略してもよい。
【００２３】
第３絶縁膜１３は、共通電極ＣＥ及び第２絶縁膜１２の上に配置されている。画素電極ＰＥは、第３絶縁膜１３の上に形成されている。各画素電極ＰＥは、隣接するソース線Ｓの間にそれぞれ位置し、共通電極ＣＥと対向している。また、各画素電極ＰＥは、共通電極ＣＥと対向する位置にスリットＳＬを有している。このような画素電極ＰＥは、例えば、ＩＴＯやＩＺＯなどの透明な導電材料によって形成されている。第１配向膜ＡＬ１は、画素電極ＰＥ及び第３絶縁膜１３を覆っている。
【００２４】
一方、第２基板ＳＵＢ２は、ガラス基板や樹脂基板などの光透過性を有する第２絶縁基板２０を用いて形成されている。第２基板ＳＵＢ２は、第２絶縁基板２０の第１基板ＳＵＢ１に対向する側に、ブラックマトリクスＢＭ、カラーフィルタＣＦＲ、ＣＦＧ、ＣＦＢ、オーバーコート層ＯＣ、第２配向膜ＡＬ２などを備える。
【００２５】
ブラックマトリクスＢＭは、第２絶縁基板２０の内面に形成され、各副画素ＳＰＸを区画している。
カラーフィルタＣＦＲ、ＣＦＧ、ＣＦＢは、それぞれ第２絶縁基板２０の内面に形成され、それらの一部がブラックマトリクスＢＭに重なっている。カラーフィルタＣＦＲは、赤色の副画素ＳＰＸＲに配置された赤色カラーフィルタであり、赤色の樹脂材料によって形成されている。カラーフィルタＣＦＧは、緑色の副画素ＳＰＸＧに配置された緑色カラーフィルタであり、緑色の樹脂材料によって形成されている。カラーフィルタＣＦＢは、青色の副画素ＳＰＸＢに配置された青色カラーフィルタであり、青色の樹脂材料によって形成されている。図示した例は、単位画素ＰＸが赤色、緑色、青色にそれぞれ対応する副画素ＳＰＸＲ，ＳＰＸＧ，ＳＰＸＢによって構成されている。但し、単位画素ＰＸは、上記の３つの副画素ＳＰＸＲ，ＳＰＸＧ，ＳＰＸＢの組み合わせによるものに限られない。例えば、単位画素ＰＸは、副画素ＳＰＸＲ，ＳＰＸＧ，ＳＰＸＢに白色の副画素ＳＰＸＷを加えた４つの副画素ＳＰＸによって構成されてもよい。この場合、白色あるいは透明のカラーフィルタが副画素ＳＰＸＷに配置されてもよいし、副画素ＳＰＸＷのカラーフィルタそのものを省略してもよい。あるいは、白色に代えて、他の色、例えば黄色の副画素を配置してもよい。
【００２６】
オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
検出電極Ｒｘは、第２絶縁基板２０の外面側に形成されている。すなわち、本実施形態において、上記の検出面は、第２絶縁基板２０の外面側に位置する。この検出電極Ｒｘの詳細な構造については後述する。
【００２７】
図１及び図４から明らかなように、検出電極Ｒｘ及び共通電極ＣＥは、表示領域ＤＡの法線方向において異なる層に配置され、第３絶縁膜１３、第１配向膜ＡＬ１、液晶層ＬＱ、第２配向膜ＡＬ２、オーバーコート層ＯＣ、カラーフィルタＣＦＲ、ＣＦＧ、ＣＦＢ、第２絶縁基板２０といった誘電体を挟んで対向する。
【００２８】
第１光学素子ＯＤ１は、第１絶縁基板１０とバックライトユニットＢＬとの間に配置されている。第２光学素子ＯＤ２は、検出電極Ｒｘの上方に配置されている。第１光学素子ＯＤ１及び第２光学素子ＯＤ２は、それぞれ少なくとも偏光板を含んでおり、必要に応じて位相差板を含んでいてもよい。
【００２９】
次に、本実施形態の液晶表示装置ＤＳＰに搭載される静電容量型のセンサＳＥについて説明する。図５は、本実施形態におけるセンサＳＥの構成を概略的に示す平面図である。本実施形態において、センサＳＥは、第１基板ＳＵＢ１の共通電極ＣＥ及び第２基板ＳＵＢ２の検出電極Ｒｘによって構成される。すなわち、共通電極ＣＥは、表示用の電極として機能するとともに、センサ駆動用の電極としても機能する。
【００３０】
液晶表示パネルＰＮＬは、上記の共通電極ＣＥ及び検出電極Ｒｘに加えて、リード線Ｌを備える。共通電極ＣＥ及び検出電極Ｒｘは、表示領域ＤＡに配置されている。図示した例では、共通電極ＣＥは、複数の分割電極Ｃを備える。各分割電極Ｃは、表示領域ＤＡにおいてＹ方向に略直線的に延びるとともに、Ｘ方向に間隔を置いて並ぶ。検出電極Ｒｘは、表示領域ＤＡにおいてＸ方向に略直的に延びるとともに、Ｙ方向に間隔をおいて並ぶ。つまり、ここでは、検出電極Ｒｘは、分割電極Ｃと交差する方向に延出している。これらの分割電極Ｃ及び検出電極Ｒｘは、上記の通り、各種誘電体を挟んで対向している。
【００３１】
次に、上記したＦＦＳモードの液晶表示装置ＤＳＰにおいて画像を表示する表示駆動時の動作について説明する。まず、液晶層ＬＱに電圧が印加されていないオフ状態について説明する。オフ状態は、画素電極ＰＥと共通電極ＣＥとの間に電位差が形成されていない状態に相当する。このようなオフ状態では、液晶層ＬＱに含まれる液晶分子は、第１配向膜ＡＬ１及び第２配向膜ＡＬ２の配向規制力によりＸ−Ｙ平面内において一方向に初期配向している。バックライトユニットＢＬからのバックライト光の一部は、第１光学素子ＯＤ１の偏光板を透過し、液晶表示パネルＰＮＬに入射する。液晶表示パネルＰＮＬに入射した光は、偏光板の吸収軸と直交する直線偏光である。このような直線偏光の偏光状態は、オフ状態の液晶表示パネルＰＮＬを通過した際にほとんど変化しない。このため、液晶表示パネルＰＮＬを透過した直線偏光のほとんどが、第２光学素子ＯＤ２の偏光板によって吸収される（黒表示）。
【００３２】
続いて、液晶層ＬＱに電圧が印加されたオン状態について説明する。オン状態は、画素電極ＰＥと共通電極ＣＥとの間に電位差が形成された状態に相当する。つまり、共通電極ＣＥにコモン駆動信号が供給され、これにより共通電極ＣＥがコモン電位に設定される。また、画素電極ＰＥにコモン電位に対して電位差を形成するような映像信号が供給される。これらにより、オン状態では、画素電極ＰＥと共通電極ＣＥとの間にフリンジ電界が形成される。このようなオン状態では、液晶分子は、Ｘ−Ｙ平面内において、初期配向方向とは異なる方位に配向する。オン状態では、第１光学素子ＯＤ１の偏光板の吸収軸と直交する直線偏光は、液晶表示パネルＰＮＬに入射し、その偏光状態は、液晶層ＬＱを通過する際に液晶分子の配向状態に応じて変化する。このため、オン状態においては、液晶層ＬＱを通過した少なくとも一部の光は、第２光学素子ＯＤ２の偏光板を透過する（白表示）。このような構成により、ノーマリーブラックモードが実現される。
【００３３】
なお、分割電極Ｃの個数やサイズ、形状は特に限定されるものではなく種々変更可能である。また、共通電極ＣＥは、Ｙ方向に間隔を置いて並び、Ｘ方向に略直線的に延出していてもよい。さらには、共通電極ＣＥは、分割されることなく、表示領域ＤＡにおいて連続的に形成された単個の平板電極であってもよい。
【００３４】
検出電極Ｒｘが配置される検出面内において、隣接する検出電極Ｒｘの間には、ダミー電極ＤＲが配置されている。ダミー電極ＤＲは、検出電極Ｒｘと同じく、Ｘ方向に略直的に延びる。このようなダミー電極ＤＲは、リード線Ｌなどの配線には接続されず、電気的にフローティング状態にある。ダミー電極ＤＲは、物体の接触あるいは接近の検出には寄与しない。そのため、ダミー電極ＤＲは、物体を検出するとの観点からは設けなくもよい。しかし、ダミー電極ＤＲを設けないと、液晶表示パネルＰＮＬの画面が光学的に不均一となる恐れがある。そのため、ダミー電極ＤＲを設けることが好ましい。
【００３５】
リード線Ｌは、非表示領域ＮＤＡに配置され、検出電極Ｒｘと一対一で電気的に接続されている。リード線Ｌの各々は、検出電極Ｒｘからのセンサ出力値を出力する。リード線Ｌは、例えば、検出電極Ｒｘと同様に、第２基板ＳＵＢ２に配置されている。
液晶表示装置ＤＳＰは、さらに、非表示領域ＮＤＡに配置された共通電極駆動回路ＣＤを備える。分割電極Ｃのそれぞれは、共通電極駆動回路ＣＤに電気的に接続されている。共通電極駆動回路ＣＤは、分割電極Ｃに対して、各副画素ＳＰＸを駆動するためのコモン駆動信号（第１駆動信号）、及び、センサＳＥを駆動するためのセンサ駆動信号（第２駆動信号）を選択的に供給する。例えば共通電極駆動回路ＣＤは、表示領域ＤＡに画像を表示する表示駆動時にコモン駆動信号を供給し、検出面への物体の近接又は接触を検出するセンシング駆動時にセンサ駆動信号を供給する。
【００３６】
フレキシブル配線基板ＦＰＣ２は、リード線Ｌの各々と電気的に接続されている。検出回路ＲＣは、例えば、駆動ＩＣチップＩＣ２に内蔵されている。この検出回路ＲＣは、検出電極Ｒｘからのセンサ出力値に基づいて、液晶表示装置ＤＳＰへの物体の接触あるいは接近を検出する。さらに、検出回路ＲＣは、物体が接触あるいは接近した箇所の位置情報を検出することも可能である。なお、検出回路ＲＣは、制御モジュールＣＭに備えられていてもよい。
【００３７】
次に、液晶表示装置ＤＳＰが物体の接触あるいは接近を検出する動作について、図６を参照しながら説明する。分割電極Ｃと検出電極Ｒｘとの間には、容量Ｃｃが存在する。共通電極駆動回路ＣＤは、分割電極Ｃの各々に所定の周期でパルス状のセンサ駆動信号Ｖｗを供給する。図６の例では、利用者の指が特定の検出電極Ｒｘと分割電極Ｃとが交差する位置に近接して存在するものとする。検出電極Ｒｘに近接している利用者の指により、容量Ｃｘが生じる。分割電極Ｃにパルス状のセンサ駆動信号Ｖｗが供給されたときに、特定の検出電極Ｒｘからは、他の検出電極から得られるパルスよりもレベルの低いパルス状のセンサ出力値Ｖｒが得られる。このセンサ出力値Ｖｒは、リード線Ｌを介して検出回路ＲＣに供給される。
【００３８】
検出回路ＲＣは、センサ駆動信号Ｖｗが分割電極Ｃに供給されるタイミングと、各検出電極Ｒｘからのセンサ出力値Ｖｒとに基づいて、Ｘ−Ｙ平面（検出面）内での指の２次元位置情報を検出する。また、容量Ｃｘは、指が検出電極Ｒｘに近い場合と、遠い場合とで異なる。このため、センサ出力値Ｖｒのレベルも指が検出電極Ｒｘに近い場合と、遠い場合とで異なる。したがって、検出回路ＲＣは、センサ出力値Ｖｒのレベルに基づいて、センサＳＥに対する指の近接度（センサＳＥの法線方向の距離）を検出することもできる。
【００３９】
以上説明したセンサＳＥの検出方式は、例えば、相互容量方式、又は、ミューチャル検出（Mutual-Capacitive Sensing）方式などと呼ばれる。センサＳＥの検出方式は、このミューチャル検出方式に限られず、他の方式であってもよい。例えば、センサＳＥは、以下に説明する検出方式を適用することもできる。この検出方式は、例えば、自己容量方式、又は、セルフ検出（Self-Capacitive Sensing）方式などと呼ばれる。
【００４０】
図７及び図８は、セルフ検出方式において、液晶表示装置ＤＳＰが物体の接触あるいは接近を検出する動作を説明するための図である。図７及び図８に示す検出電極Ｒｘは、島状に形成され、表示領域ＤＡにおいてＸ方向及びＹ方向にマトリクス状に配列されている。リード線Ｌの一端は、検出電極Ｒｘと一対一で電気的に接続されている。リード線Ｌの他端は、例えば図５に示した例と同じく、検出回路ＲＣが内蔵された駆動ＩＣチップＩＣ２を備えるフレキシブル配線基板ＦＰＣ２に接続されている。図７及び図８の例では、利用者の指が特定の検出電極Ｒｘに近接して存在するものとする。検出電極Ｒｘに近接している利用者の指により、容量Ｃｘが生じる。
【００４１】
図７に示すように、検出回路ＲＣは、検出電極Ｒｘの各々に所定の周期でパルス状のセンサ駆動信号Ｖｗ（駆動電圧）を供給する。このセンサ駆動信号Ｖｗにより、検出電極Ｒｘ自体が有する容量が充電される。
センサ駆動信号Ｖｗを供給した後、図８に示すように、検出回路ＲＣは、検出電極Ｒｘの各々からセンサ出力値Ｖｒを読み取る。このセンサ出力値Ｖｒは、例えば、検出電極Ｒｘ自体の容量に蓄えられた電荷量に相当する。このようなセンサ出力値Ｖｒは、Ｘ−Ｙ平面（検出面）内に配列された各検出電極Ｒｘのうち、指との間の容量Ｃｘが発生している検出電極Ｒｘと、その他の検出電極Ｒｘとで異なる値となる。したがって、検出回路ＲＣは、各検出電極Ｒｘのセンサ出力値Ｖｒに基づいて、Ｘ−Ｙ平面内での指の２次元位置情報を検出することができる。
【００４２】
セルフ検出方式におけるセンサＳＥの駆動方法の具体例につき、図９を用いて説明する。この図の例においては、１フレーム（１Ｆ）期間のうちの表示動作期間Ｐｄに行われる表示動作と、表示動作期間Ｐｄから外れた検出動作期間Ｐｓに行われる入力位置情報の検出動作と、が繰り返し行われる。検出動作期間Ｐｓは、例えば表示動作が休止されるブランキング期間である。
【００４３】
表示動作期間Ｐｄにおいては、ゲート線駆動回路ＧＤがゲート線Ｇに制御信号を供給し、ソース線駆動回路ＳＤがソース線Ｓに映像信号Ｖｓｉｇを供給し、共通電極駆動回路ＣＤが共通電極ＣＥ（分割電極Ｃ）にコモン駆動信号Ｖｃｏｍ（コモン電圧）を供給して、液晶表示パネルＰＮＬが駆動される。
【００４４】
検出動作期間Ｐｓには、液晶表示パネルＰＮＬへの制御信号、映像信号Ｖｓｉｇ及びコモン駆動信号Ｖｃｏｍの入力が休止され、センサＳＥが駆動される。センサＳＥを駆動する際、検出回路ＲＣが検出電極Ｒｘにセンサ駆動信号Ｖｗを供給し、検出電極Ｒｘに生じた静電容量の変化を示すセンサ出力値Ｖｒを読取り、センサ出力値Ｖｒに基づいて入力位置情報を演算する。この検出動作期間Ｐｓにおいて、共通電極駆動回路ＣＤは、検出電極Ｒｘに供給するセンサ駆動信号Ｖｗと同一波形を有する電位調整信号Ｖａをセンサ駆動信号Ｖｗと同期して共通電極ＣＥに供給している。ここで、上記同一波形とは、センサ駆動信号Ｖｗと電位調整信号Ｖａとが、位相、振幅及び周期に関して同一であることを言う。このような電位調整信号Ｖａを共通電極ＣＥに供給することで、検出電極Ｒｘと共通電極ＣＥとの間の浮遊容量（寄生容量）が除去され、正確な入力位置情報の演算が可能となる。
【００４５】
図１０は、マトリクス状に配列された検出電極Ｒｘの一例を概略的に示す図である。この図の例においては、検出電極Ｒｘ１，Ｒｘ２，Ｒｘ３がＹ方向に並んでいる。検出電極Ｒｘ１は、リード線Ｌ１を介してパッドＰＤ１と接続されている。検出電極Ｒｘ２は、リード線Ｌ２を介してパッドＰＤ２と接続されている。検出電極Ｒｘ３は、パッドＰＤ３に直に接続されている。パッドＰＤ１〜ＰＤ３は、フレキシブル配線基板ＦＰＣ２に接続されている。検出電極Ｒｘ１〜Ｒｘ３は、例えば、金属材料によって形成された細線片（後述する細線片Ｔ）をメッシュ状に接続して構成されている。但し、検出電極Ｒｘ１〜Ｒｘ３は、図１０に示す構成に限定されるものではなく、後述する各実施例に示す構成など種々の構成を適用できる。
【００４６】
検出電極Ｒｘ１〜Ｒｘ３、リード線Ｌ１，Ｌ２、及びパッドＰＤ１〜ＰＤ３は、Ｘ方向に一定の間隔を空けて繰り返し配置されている。Ｘ方向に隣り合う検出電極Ｒｘ１〜Ｒｘ３と検出電極Ｒｘ１〜Ｒｘ３との間には、ダミー電極ＤＲが配置されている。ダミー電極ＤＲは、例えば、検出電極Ｒｘ１〜Ｒｘ３と同じく、金属材料によって形成された細線片により構成されている。図１０の例において、ダミー電極ＤＲを構成する細線片は、検出電極Ｒｘ１〜Ｒｘ３と同様のメッシュ状に配置されている。但し、ダミー電極ＤＲを構成する細線片は互いに接続されておらず、かつ検出電極Ｒｘ１〜Ｒｘ３、リード線Ｌ１，Ｌ２、及びパッドＰＤ１〜ＰＤ３などにも接続されておらず、電気的にフローティング状態にある。このように、検出電極Ｒｘと類似の形状を有するダミー電極ＤＲを配置することにより、液晶表示パネルＰＮＬの画面を光学的に均一に保つことができる。
【００４７】
続いて、検出電極Ｒｘの詳細な構造について説明する。なお、以下に説明する検出電極Ｒｘの構造は、上述したミューチャル検出方式及びセルフ検出方式などの検出方式によらず適用可能である。
検出電極Ｒｘは、金属材料によって形成された細線片（後述する細線片Ｔ）を組み合わせて構成される電極パターン（後述する電極パターンＰＴ）を有する。細線片の材料としては、例えばアルミニウム（Ａｌ）、チタン（Ｔｉ）、銀（Ａｇ）、モリブデン（Ｍｏ）、タングステン（Ｗ）、銅（Ｃｕ）、クロム（Ｃｒ）、或いはこれらを含む合金を用いることができる。細線片の幅は、各画素の透過率を著しく低下させず、且つ断線しにくい程度に定めることが好ましい。一例として、細線片の幅は、３μｍ以上かつ１０μｍ以下の範囲内で定める。
【００４８】
表示領域ＤＡにおける画素配列及び検出電極Ｒｘの電極パターンの一態様について説明する。図１１及び図１２は、表示領域ＤＡに配置された単位画素ＰＸの一部と、検出電極Ｒｘの電極パターンＰＴの一部とを示す模式図である。
図１１及び図１２において、単位画素ＰＸは、Ｘ方向及びＹ方向に沿ってマトリクス状に並ぶ。図１１における各単位画素ＰＸは、赤色、緑色、青色の副画素ＳＰＸＲ，ＳＰＸＧ，ＳＰＸＢにて構成されている。赤色、緑色、青色の副画素ＳＰＸＲ，ＳＰＸＧ，ＳＰＸＢは、いずれもＹ方向に沿って並ぶ。一方、図１２における各単位画素ＰＸは、赤色、緑色、青色、白色の副画素ＳＰＸＲ，ＳＰＸＧ，ＳＰＸＢ，ＳＰＸＷにて構成されている。赤色、緑色、青色、白色の副画素ＳＰＸＲ，ＳＰＸＧ，ＳＰＸＢ，ＳＰＸＷは、いずれもＹ方向に沿って並ぶ。
【００４９】
表示領域ＤＡにおいて、人間の視感度が最も高い副画素ＳＰＸが並ぶ方向を、第１方向Ｄ１と定義する。また、この第１方向Ｄ１と直交する方向を第２方向Ｄ２と定義する。図１１に示す表示領域ＤＡにおいて、人間の視感度が最も高い副画素ＳＰＸは、緑色の副画素ＳＰＸＧである。したがって、図１１の例においては、緑色の副画素ＳＰＸＧが並ぶ方向、すなわちＹ方向が第１方向となり、第１方向Ｄ１と直交する方向、すなわちＸ方向が第２方向となる。また、図１２に示す表示領域ＤＡにおいて、人間の視感度が最も高い副画素ＳＰＸは、白色の副画素ＳＰＸＷである。したがって、図１２の例においても、白色の副画素ＳＰＸＷが並ぶ方向、すなわちＹ方向が第１方向となり、第１方向Ｄ１と直交する方向、すなわちＸ方向が第２方向となる。
【００５０】
以下の説明においては、表示領域ＤＡにおいて並ぶ単位画素ＰＸの第１方向Ｄ１及び第２方向Ｄ２におけるピッチを、それぞれ第１画素ピッチｐａ１及び第２画素ピッチｐａ２と呼ぶ。図１１及び図１２の例において、単位画素ＰＸの第１画素ピッチｐａ１及び第２接続点ピッチｐａ２は、図示した通りである。すなわち、第１画素ピッチｐａ１は単位画素ＰＸの第１方向Ｄ１（Ｙ方向）における長さであり、第２画素ピッチｐａ２は単位画素ＰＸの第２方向Ｄ２（Ｘ方向）における長さである。
【００５１】
電極パターンＰＴは、屈曲しながら延びる検出線Ｗを複数含む。検出線Ｗは、延出方向がそれぞれ異なる２種類の細線片Ｔａ，Ｔｂの端部同士を接続して構成される単位パターンＵ１を、第１配列方向ＤＵ１に沿って交互に配置することにより構成されている。第１配列方向ＤＵ１は、第１方向Ｄ１に対して反時計回りに角度θだけ傾いている。図１１及び図１２の例においては、第１配列方向ＤＵ１と直交する第２配列方向ＤＵ２に沿って等間隔に並ぶ３本の検出線Ｗにより電極パターンＰＴが構成されている。
【００５２】
図１１及び図１２の例において、単位パターンＵ１に含まれる細線片Ｔａ，Ｔｂ、及び、２つの単位パターンＵ１の境界において隣り合う細線片Ｔａ，Ｔｂは、いずれも鈍角を形成するように接続されている。但し、細線片Ｔａ，Ｔｂは、鋭角或いは直角を形成するように接続されてもよい。なお、電極パターンＰＴは、より多くの検出線Ｗにより構成されてもよいし、２本以下の検出線Ｗにより構成されてもよい。また、実際には電極パターンＰＴに近接してダミー電極ＤＲが配置されるが、図１１及び図１２の例においてはこのダミー電極ＤＲの図示を省略している。
【００５３】
電極パターンＰＴは、細線片Ｔａ，Ｔｂの接続点を多数含む。これら多数の接続点の一部は、直線状に並ぶ。図１１及び図１２に示す破線円は、直線状に並ぶ接続点群の一例を示している。この接続点群に含まれる接続点ＣＰは、１本の検出線Ｗに含まれる接続点を交互に抽出したものであり、第１配列方向ＤＵ１に沿って等間隔に並ぶ。
【００５４】
以下の説明においては、直線状に並ぶ接続点群の第１方向Ｄ１及び第２方向Ｄ２におけるピッチを、それぞれ第１接続点ピッチｐｂ１及び第２接続点ピッチｐｂ２と呼ぶ。図１１及び図１２の例において、各接続点ＣＰの第１接続点ピッチｐｂ１及び第２接続点ピッチｐｂ２は、図示した通りである。すなわち、第１接続点ピッチｐｂ１は隣り合う接続点ＣＰ同士の第１方向Ｄ１における間隔であり、第２接続点ピッチｐｂ２は隣り合う接続点ＣＰ同士の第２方向Ｄ２における間隔である。
【００５５】
金属材料で形成された細線片Ｔａ，Ｔｂの接続点においては、単位面積当たりに含まれる細線片の面積が増大するため、表示領域ＤＡからの光の透過率が低下する。したがって、表示領域ＤＡ上では、細線片Ｔａ，Ｔｂの接続点に起因して局所的に透過率が低下するラインが接続点の配列方向に沿って生じ、このラインが各色の副画素ＳＰＸと交わることでモアレが生じる。
【００５６】
電極パターンＰＴの形状は、接続点と表示領域ＤＡとの干渉に起因するモアレを防止ないしは低減するとの観点から、直線状に並ぶ接続点群が以下の条件１，２の双方を満たすように定められる。  
［条件１］
ｐｂ１＜０.５×ｐａ１×（Ｌ−０.０５）、あるいは、  
０.５×ｐａ１×（Ｌ＋０.０５）＜ｐｂ１  
［条件２］
ｐｂ２＜０.５×ｐａ２×（Ｌ−０.０５）、あるいは、  
０.５×ｐａ２×（Ｌ＋０.０５）＜ｐｂ２  
また、好ましくは、電極パターンＰＴは、以下の条件３，４の双方を満たすように定められる。  
［条件３］
ｐｂ１＜０.５×ｐａ１×（Ｌ−０.１）、あるいは、  
０.５×ｐａ１×（Ｌ＋０.１）＜ｐｂ１  
［条件４］
ｐｂ２＜０.５×ｐａ２×（Ｌ−０.１）、あるいは、  
０.５×ｐａ２×（Ｌ＋０.１）＜ｐｂ２  
条件１〜４におけるＬは正の整数である。条件１〜４は、１つの整数Ｌについて満たされればよいのではなく、全ての整数Ｌについて満たされる必要がある。
【００５７】
なお、電極パターンＰＴは、図１１及び図１２に示す接続点ＣＰを含む接続点群の他にも、直線状に並ぶ接続点群を有する。例えば１本の検出線Ｗにおいて接続点ＣＰの間に位置する接続点も、第１配列方向ＤＵ１に沿って直線状に並ぶ。また、異なる検出線Ｗにおける接続点が直線状に並ぶこともある。理想的には、これら直線状に並ぶ接続点群の全てが条件１，２或いは条件３，４を満たすことにより、モアレを防止ないしは低減する効果を高めることができる。しかしながら、これら直線状に並ぶ接続点群の少なくとも１つが条件１，２或いは条件３，４を満たすことによっても、その接続点群と表示領域ＤＡとの干渉に起因したモアレを防止ないしは低減する効果が得られる。例えば、電極パターンＰＴに含まれる複数の接続点群のうち、隣り合う接続点間の距離が最も短い接続点群や、両端部に位置する接続点の間の距離が最も長い接続点群が条件１，２或いは条件３，４を満たすように電極パターンＰＴを規定してもよい。
【００５８】
続いて、条件１〜４を採用した理由について説明する。  
上記のような第１接続点ピッチｐｂ１及び第２接続点ピッチｐｂ２を複数通りに変化させて、電極パターンＰＴに含まれる接続点と、図１１に示す表示領域ＤＡ（タイプ（Ａ））及び図１２に示す表示領域ＤＡ（タイプ（Ｂ））との干渉に起因して生じるモアレを評価した結果を図１３及び図１４に示す。
【００５９】
図１３は、評価例Ｅ１０１〜Ｅ１２４における第１接続点ピッチｐｂ１［μm］、第２接続点ピッチｐｂ２［μm］、タイプ（Ａ）（Ｂ）それぞれにおけるモアレの評価結果（レベル）、第１画素ピッチｐａ１に０.５を乗じた値にて第１接続点ピッチｐｂ１を除した数値（ｐｂ１／０.５ｐａ１）、第２画素ピッチｐａ２に０.５を乗じた値にて第２接続点ピッチｐｂ２を除した数値（ｐｂ２／０.５ｐａ２）を示す。評価例Ｅ１０１〜Ｅ１２４においては、第１配列方向ＤＵ１の第１方向Ｄ１に対する傾き角度θを３３.６９°とした。
【００６０】
図１４は、評価例Ｅ２０１〜Ｅ２２６における第１接続点ピッチｐｂ１［μm］、第２接続点ピッチｐｂ２［μm］、タイプ（Ａ）（Ｂ）それぞれにおけるモアレの評価結果（レベル）、第１画素ピッチｐａ１に０.５を乗じた値にて第１接続点ピッチｐｂ１を除した数値（ｐｂ１／０.５ｐａ１）、第２画素ピッチｐａ２に０.５を乗じた値にて第２接続点ピッチｐｂ２を除した数値（ｐｂ２／０.５ｐａ２）を示す。評価例Ｅ２０１〜Ｅ２２６においては、第１配列方向ＤＵ１の第１方向Ｄ１に対する傾き角度θを３８.００°とした。
【００６１】
モアレの評価結果は、最も良好である場合（モアレが表示に与える影響が最も小さい場合）をレベル１とし、最も不良である場合（モアレが表示に与える影響が最も大きい場合）をレベル４として、レベル１〜４の４段階で評価した。タイプ（Ａ）の表示領域ＤＡにおける第１画素ピッチｐａ１及び第２画素ピッチｐａ２は、いずれも５８.８μmである。また、タイプ（Ｂ）の表示領域ＤＡにおける第１画素ピッチｐａ１は１０３.５μmであり、第２画素ピッチｐａ２は１３８μmである。
【００６２】
これらの評価において、タイプ（Ａ）に関しては、評価例Ｅ１１２，Ｅ１２４の評価結果がレベル４、評価例Ｅ１１６，Ｅ２０４，Ｅ２１３，Ｅ２１６，Ｅ２１８，Ｅ２２３，Ｅ２２４の評価結果がレベル３、評価例Ｅ１０１，Ｅ１０４，Ｅ１０５，Ｅ１０７，Ｅ１０８，Ｅ１１８，Ｅ１２０，Ｅ２０５，Ｅ２０９，Ｅ２１０の評価結果がレベル２、その他の評価例の評価結果がレベル１となった。
【００６３】
タイプ（Ｂ）に関しては、評価例Ｅ１０８，Ｅ１１８，Ｅ１２３，Ｅ１２４，Ｅ２０２，Ｅ２０３，Ｅ２１２，Ｅ２１３の評価結果がレベル３、評価例Ｅ１０１，Ｅ１０７，Ｅ１０９，Ｅ１１３，Ｅ１１４，Ｅ１１９，Ｅ２０１，Ｅ２１１，Ｅ２１４の評価結果がレベル２、その他の評価例の評価結果がレベル１となった。図１３及び図１４においては、レベル３又はレベル４の評価結果等に斜線のハッチングを付しており、レベル２の評価結果等にドットのハッチングを付している。
【００６４】
評価結果がレベル３又はレベル４となった評価例について検討すると、角度θに関わらず、これらの評価例の殆どにおいてｐｂ１／０.５ｐａ１或いはｐｂ２／０.５ｐａ２の少なくとも一方が整数Ｌ−０.０５以上かつ整数Ｌ＋０.０５以下の範囲にあることが判る。すなわち、ｐｂ１／０.５ｐａ１或いはｐｂ２／０.５ｐａ２が整数Ｌと概ね一致する場合にモアレが生じ易い。これらのことから、上記の条件１，２が導かれる。
【００６５】
さらに、評価結果がレベル２となった評価例について検討すると、角度θに関わらず、これらの評価例の殆どにおいてｐｂ１／０.５ｐａ１或いはｐｂ２／０.５ｐａ２の少なくとも一方が整数Ｌ−０.１以上かつ整数Ｌ＋０.１以下の範囲にあることが判る。これらのことから、モアレを防止あるいは低減するためのより好適な条件として、上記の条件３，４が導かれる。
【００６６】
以上のような条件１，２或いは条件３，４を満たす電極パターンＰＴを有する検出電極ＲｘにてセンサＳＥを構成することにより、モアレの発生を防止ないしは低減することが可能な液晶表示装置ＤＳＰを得ることができる。
また、本実施形態においては、センサＳＥを構成する検出電極Ｒｘとセンサ駆動電極（共通電極ＣＥ）とを、誘電体を挟んで異なる層に設けている。仮に、検出電極Ｒｘとセンサ駆動電極とを同一の層に設けた場合には、これら検出電極Ｒｘとセンサ駆動電極との間で電蝕が生じる恐れがある。これに対し、本実施形態の構成においてはそのような電蝕の発生を防ぐことができる。
【００６７】
また、本実施形態において、上述した相互容量方式又はミューチャル検出方式のように、液晶表示パネルＰＮＬの内部に設けられた共通電極ＣＥを表示用の電極として利用するとともにセンサ駆動電極としても利用する場合には、センシング専用のセンサ駆動電極を別途に液晶表示装置ＤＳＰに設ける必要がない。仮に、センシング専用のセンサ駆動電極を設けた場合には、このセンサ駆動電極と検出電極Ｒｘ或いは表示領域ＤＡとの干渉によりモアレが発生する恐れがある。これに対し、本実施形態においてはそのようなモアレの発生を防ぐことができる。さらに、本実施形態においては、共通電極ＣＥが透明な導電性材料によって形成されているために、共通電極ＣＥと表示領域ＤＡ或いは検出電極Ｒｘとの干渉に起因したモアレの発生を防止ないしは低減できる。  
これらの他にも、本実施形態からは種々の好適な作用が得られる。  
なお、電極パターンＰＴの形状は、図１１及び図１２に示したものに限られない。その他の形状の電極パターンＰＴであっても、そこに含まれる接続点の少なくとも一部が条件１，２或いは条件３，４を満たすならば、その電極パターンＰＴと表示領域ＤＡとの干渉に起因したモアレの発生を防止ないしは低減する効果が得られる。  
以下に、電極パターンＰＴに関する他の実施形態を示す。特に説明しない構成については、第１実施形態と同様である。
【００６８】
（第２実施形態）
図１５は、第２実施形態に係る電極パターンＰＴの一部を示す模式図である。本実施形態に係る電極パターンＰＴは、図１５の左方に示す単位パターンＵ２を、第１配列方向ＤＵ１及び第２配列方向ＤＵ２に沿って配列して構成される。単位パターンＵ２は、細線片Ｔａ１，Ｔａ２，Ｔｂ１，Ｔｂ２で閉じられた菱形のパターンである。
【００６９】
電極パターンＰＴにおいて、隣り合う２つの単位パターンＵ２の輪郭は、１本の細線片Ｔを共用して形成されている。例えば第１配列方向ＤＵ１に連続する２つの単位パターンＵ２においては、その境界に配置される１本の細線片Ｔｂが、一方の単位パターンＵ２では細線片Ｔｂ１として用いられ、他方の単位パターンＵ２では細線片Ｔｂ２として用いられることで、これら単位パターンＵ２の輪郭が形成されている。
【００７０】
本実施形態においては、例えば図１５に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群や、単位パターンＵ２の対角線方向に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図１５の例では、接続点において細線片Ｔａ，Ｔｂが鋭角又は鈍角にて接続される場合を示しているが、細線片Ｔａ，Ｔｂが直角にて接続されてもよい。
【００７１】
（第３実施形態）
図１６は、第３実施形態に係る電極パターンＰＴの一部を示す模式図である。本実施形態に係る電極パターンＰＴは、図１６の左方に示す単位パターンＵ３を、第１配列方向ＤＵ１及び第２配列方向ＤＵ２に沿って配列して構成される。単位パターンＵ３は、細線片Ｔａ１，Ｔａ２，Ｔａ３，Ｔａ４，Ｔｂ１，Ｔｂ２で閉じられた平行四辺形のパターンである。
【００７２】
電極パターンＰＴにおいて、隣り合う２つの単位パターンＵ３の輪郭は、１本の細線片Ｔを共用して形成されている。例えば第１配列方向ＤＵ１に連続する２つの単位パターンＵ３においては、その境界に配置される１本の細線片Ｔａが、一方の単位パターンＵ３では細線片Ｔａ１として用いられ、他方の単位パターンＵ３では細線片Ｔａ４として用いられることで、これら単位パターンＵ３の輪郭が形成されている。
【００７３】
本実施形態においては、例えば図１６に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群や、単位パターンＵ３の対角線方向に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図１６の例では、接続点において細線片Ｔａ，Ｔｂが鋭角又は鈍角にて接続される場合を示しているが、細線片Ｔａ，Ｔｂが直角にて接続されてもよい。
【００７４】
（第４実施形態）
図１７は、第４実施形態に係る電極パターンＰＴの一部を示す模式図である。本実施形態に係る電極パターンＰＴは、図１７の左方に示す単位パターンＵ４ａ，Ｕ４ｂを組み合わせて構成される。具体的には、電極パターンＰＴは、第１配列方向ＤＵ１に沿って並ぶ複数の単位パターンＵ４ａと、この第１配列方向ＤＵ１に沿って並ぶ複数の単位パターンＵ４ｂとを、第２配列方向ＤＵ２に沿って交互に配置したパターンである。単位パターンＵ４ａは、細線片Ｔａ１，Ｔａ２，Ｔａ３，Ｔａ４，Ｔｂ１，Ｔｂ２で閉じられた平行四辺形のパターンである。単位パターンＵ４ｂは、細線片Ｔａ５，Ｔａ６，Ｔｂ３，Ｔｂ４，Ｔｂ５，Ｔｂ６で閉じられた平行四辺形のパターンである。単位パターンＵ４ａ，Ｕ４ｂは、第１配列方向ＤＵ１に沿う軸、及び、第２配列方向ＤＵ２に沿う軸に関して線対称の形状である。
【００７５】
電極パターンＰＴにおいて、隣り合う２つの単位パターンＵ４ａ、隣り合う２つの単位パターンＵ４ｂ、及び、隣り合う単位パターンＵ４ａと単位パターンＵ４ｂの輪郭は、１つの細線片Ｔを共用して形成されている。例えば第１配列方向ＤＵ１に連続する２つの単位パターンＵ４ａにおいては、その境界に配置される１本の細線片Ｔａが、一方の単位パターンＵ４ａでは細線片Ｔａ２として用いられ、他方の単位パターンＵ４ａでは細線片Ｔａ３として用いられることで、これら単位パターンＵ４ａの輪郭が形成されている。
また、例えば第１配列方向ＤＵ１に連続する２つの単位パターンＵ４ｂにおいては、その境界に配置される１本の細線片Ｔｂが、一方の単位パターンＵ４ｂでは細線片Ｔｂ４として用いられ、他方の単位パターンＵ４ｂでは細線片Ｔｂ５として用いられることで、これら単位パターンＵ４ｂの輪郭が形成されている。
【００７６】
単位パターンＵ４ａは、４つの単位パターンＵ４ｂと隣り合う。単位パターンＵ４ａの輪郭は、これら４つの単位パターンＵ４ｂの輪郭と細線片Ｔａ１，Ｔａ４，Ｔｂ１，Ｔｂ２を共用して形成されている。
また、単位パターンＵ４ｂは、４つの単位パターンＵ４ａと隣り合う。単位パターンＵ４ｂの輪郭は、これら４つの単位パターンＵ４ａの輪郭と細線片Ｔａ５，Ｔａ６，Ｔｂ３，Ｔｂ６を共用して形成されている。
【００７７】
本実施形態においては、例えば図１７に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群や、単位パターンＵ４ａ，Ｕ４ｂの対角線方向に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図１７の例では、接続点において細線片Ｔａ，Ｔｂが鋭角又は鈍角にて接続される場合を示しているが、細線片Ｔａ，Ｔｂが直角にて接続されてもよい。
【００７８】
（第５実施形態）
図１８は、第５実施形態に係る電極パターンＰＴの一部を示す模式図である。本実施形態に係る電極パターンＰＴは、図１８の左方に示す単位パターンＵ５ａ，Ｕ５ｂを組み合わせて構成される。具体的には、電極パターンＰＴは、第１配列方向ＤＵ１に沿って並ぶ複数の単位パターンＵ５ａと、この第１配列方向ＤＵ１に沿って並ぶ複数の単位パターンＵ５ｂとを、第２配列方向ＤＵ２に沿って交互に配置したパターンである。単位パターンＵ５ａは、細線片Ｔａ１，Ｔａ２，Ｔａ３，Ｔａ４，Ｔｂ１，Ｔｂ２，Ｔｂ３，Ｔｂ４で閉じられた６角形のパターンである。単位パターンＵ５ｂは、細線片Ｔａ５，Ｔａ６，Ｔａ７，Ｔａ８，Ｔｂ５，Ｔｂ６，Ｔｂ７，Ｔｂ８で閉じられた６角形のパターンである。単位パターンＵ５ａ，Ｕ５ｂは、所定の軸に関して線対称の形状である。単位パターンＵ５ａにおいて細線片Ｔａ３，Ｔｂ２が構成する内角、及び、単位パターンＵ５ｂにおいて細線片Ｔａ６，Ｔｂ７が構成する内角は、いずれも１８０°を超える。
【００７９】
電極パターンＰＴにおいて、隣り合う２つの単位パターンＵ５ａ、隣り合う２つの単位パターンＵ５ｂ、及び、隣り合う単位パターンＵ５ａと単位パターンＵ５ｂの輪郭は、少なくとも１つの細線片Ｔを共用して形成されている。例えば第１配列方向ＤＵ１に連続する２つの単位パターンＵ５ａにおいては、その境界に配置される１本の細線片Ｔａが、一方の単位パターンＵ５ａでは細線片Ｔａ２として用いられ、他方の単位パターンＵ５ａでは細線片Ｔａ４として用いられることで、これら単位パターンＵ５ａの輪郭が形成されている。
また、例えば第１配列方向ＤＵ１に連続する２つの単位パターンＵ５ｂにおいては、その境界に配置される１本の細線片Ｔａが、一方の単位パターンＵ５ｂでは細線片Ｔａ５として用いられ、他方の単位パターンＵ５ｂでは細線片Ｔａ７として用いられることで、これら単位パターンＵ５ｂの輪郭が形成されている。
【００８０】
単位パターンＵ５ａは、４つの単位パターンＵ５ｂと隣り合う。単位パターンＵ５ａの輪郭は、これら４つの単位パターンＵ５ｂの輪郭と細線片Ｔａ１，Ｔａ３，Ｔｂ１，Ｔｂ２，Ｔｂ３，Ｔｂ４を共用して形成されている。
また、単位パターンＵ５ｂは、４つの単位パターンＵ５ａと隣り合う。単位パターンＵ５ｂの輪郭は、これら４つの単位パターンＵ５ａの輪郭と細線片Ｔａ６，Ｔａ８，Ｔｂ５，Ｔｂ６，Ｔｂ７，Ｔｂ８を共用して形成されている。
【００８１】
本実施形態においては、例えば図１８に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図１８の例では、接続点において細線片Ｔａ，Ｔｂが鋭角又は鈍角にて接続される場合を示しているが、細線片Ｔａ，Ｔｂが直角にて接続されてもよい。
【００８２】
（第６実施形態）
図１９は、第６実施形態に係る電極パターンＰＴの一部を示す模式図である。本実施形態に係る電極パターンＰＴは、図１９の左方に示す単位パターンＵ６ａ，Ｕ６ｂを組み合わせて構成される。具体的には、電極パターンＰＴは、第１配列方向ＤＵ１に沿って並ぶ複数の単位パターンＵ６ａと、この第１配列方向ＤＵ１に沿って並ぶ複数の単位パターンＵ６ｂとを、第２配列方向ＤＵ２に沿って交互に配置したパターンである。単位パターンＵ６ａは、細線片Ｔａ１，Ｔａ２，Ｔａ３，Ｔａ４，Ｔａ５，Ｔａ６，Ｔｂ１，Ｔｂ２，Ｔｂ３，Ｔｂ４で閉じられた６角形のパターンである。単位パターンＵ６ｂは、細線片Ｔａ７，Ｔａ８，Ｔａ９，Ｔａ１０，Ｔｂ５，Ｔｂ６，Ｔｂ７，Ｔｂ８，Ｔｂ９，Ｔｂ１０で閉じられた６角形のパターンである。単位パターンＵ６ａ，Ｕ６ｂは、第１配列方向ＤＵ１に沿う軸に関して線対称の形状である。単位パターンＵ６ａにおいて細線片Ｔａ２，Ｔｂ３が構成する内角、及び、単位パターンＵ６ｂにおいて細線片Ｔａ９，Ｔｂ６が構成する内角は、いずれも１８０°を超える。
【００８３】
電極パターンＰＴにおいて、隣り合う２つの単位パターンＵ６ａ、隣り合う２つの単位パターンＵ６ｂ、及び、隣り合う単位パターンＵ６ａと単位パターンＵ６ｂの輪郭は、少なくとも１つの細線片Ｔを共用して形成されている。例えば第１配列方向ＤＵ１に連続する２つの単位パターンＵ６ａにおいては、その境界に配置される１本の細線片Ｔａが、一方の単位パターンＵ６ａでは細線片Ｔａ１として用いられ、他方の単位パターンＵ６ａでは細線片Ｔａ６として用いられることで、これら単位パターンＵ６ａの輪郭が形成されている。
また、例えば第１配列方向ＤＵ１に連続する２つの単位パターンＵ６ｂにおいては、その境界に配置される１本の細線片Ｔｂが、一方の単位パターンＵ６ｂでは細線片Ｔｂ５として用いられ、他方の単位パターンＵ６ｂでは細線片Ｔｂ１０として用いられることで、これら単位パターンＵ６ｂの輪郭が形成されている。
【００８４】
単位パターンＵ６ａは、４つの単位パターンＵ６ｂと隣り合う。単位パターンＵ６ａの輪郭は、これら４つの単位パターンＵ６ｂの輪郭と細線片Ｔａ２，Ｔａ３，Ｔａ４，Ｔａ５，Ｔｂ１，Ｔｂ２，Ｔｂ３，Ｔｂ４を共用して形成されている。
また、単位パターンＵ６ｂは、４つの単位パターンＵ６ａと隣り合う。単位パターンＵ６ｂの輪郭は、これら４つの単位パターンＵ６ａの輪郭と細線片Ｔａ７，Ｔａ８，Ｔａ９，Ｔａ１０，Ｔｂ６，Ｔｂ７，Ｔｂ８，Ｔｂ９を共用して形成されている。
【００８５】
本実施形態においては、例えば図１９に示すように、第２配列方向ＤＵ２に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第１配列方向ＤＵ１に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図１９の例では、接続点において細線片Ｔａ，Ｔｂが鋭角又は鈍角にて接続される場合を示しているが、細線片Ｔａ，Ｔｂが直角にて接続されてもよい。
【００８６】
（第７実施形態）
図２０は、第７実施形態に係る電極パターンＰＴの一部を示す模式図である。本実施形態に係る電極パターンＰＴは、図２０の左方に示す単位パターンＵ７ａ，Ｕ７ｂを組み合わせて構成される。具体的には、電極パターンＰＴは、第１配列方向ＤＵ１に沿って並ぶ複数の単位パターンＵ７ａと、この第１配列方向ＤＵ１に沿って並ぶ複数の単位パターンＵ７ｂとを、第２配列方向ＤＵ２に沿って交互に配置したパターンである。単位パターンＵ７ａは、細線片Ｔａ１，Ｔａ２，Ｔｂ１，Ｔｂ２，Ｔｂ３，Ｔｂ４で閉じられた平行四辺形のパターンである。単位パターンＵ７ｂは、細線片Ｔａ３，Ｔａ４，Ｔａ５，Ｔａ６，Ｔｂ５，Ｔｂ６で閉じられた平行四辺形のパターンである。単位パターンＵ７ａ，Ｕ７ｂは、第１配列方向ＤＵ１に沿う軸、及び、第２配列方向ＤＵ２に沿う軸に関して線対称の形状である。
【００８７】
電極パターンＰＴにおいて、隣り合う２つの単位パターンＵ７ａ、隣り合う２つの単位パターンＵ７ｂ、及び、隣り合う単位パターンＵ７ａと単位パターンＵ７ｂの輪郭は、１つの細線片Ｔを共用して形成されている。例えば第１配列方向ＤＵ１に連続する２つの単位パターンＵ７ａにおいては、その境界に配置される１本の細線片Ｔｂが、一方の単位パターンＵ７ａでは細線片Ｔｂ１として用いられ、他方の単位パターンＵ７ａでは細線片Ｔｂ４として用いられることで、これら単位パターンＵ７ａの輪郭が形成されている。
また、例えば第１配列方向ＤＵ１に連続する２つの単位パターンＵ７ｂにおいては、その境界に配置される１本の細線片Ｔａが、一方の単位パターンＵ７ｂでは細線片Ｔａ３として用いられ、他方の単位パターンＵ７ｂでは細線片Ｔａ６として用いられることで、これら単位パターンＵ７ｂの輪郭が形成されている。
【００８８】
単位パターンＵ７ａは、４つの単位パターンＵ７ｂと隣り合う。単位パターンＵ７ａの輪郭は、これら４つの単位パターンＵ７ｂの輪郭と細線片Ｔａ１，Ｔａ２，Ｔｂ２，Ｔｂ３を共用して形成されている。
また、単位パターンＵ７ｂは、４つの単位パターンＵ７ａと隣り合う。単位パターンＵ７ｂの輪郭は、これら４つの単位パターンＵ７ａの輪郭と細線片Ｔａ４，Ｔａ５，Ｔｂ５，Ｔｂ６を共用して形成されている。
【００８９】
本実施形態においては、例えば図２０に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群や、単位パターンＵ７ａ，Ｕ７ｂの対角線方向に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図２０の例では、接続点において細線片Ｔａ，Ｔｂが鋭角又は鈍角にて接続される場合を示しているが、細線片Ｔａ，Ｔｂが直角にて接続されてもよい。
【００９０】
（第８実施形態）
図２１は、第８実施形態に係る電極パターンＰＴの一部を示す模式図である。本実施形態に係る電極パターンＰＴは、図２１の左方に示す単位パターンＵ８を、第１配列方向ＤＵ１及び第２配列方向ＤＵ２に沿って配列して構成される。単位パターンＵ８は、細線片Ｔａ１，Ｔａ２，Ｔａ３，Ｔａ４，Ｔａ５，Ｔａ６，Ｔａ７，Ｔａ８，Ｔｂ１，Ｔｂ２，Ｔｂ３，Ｔｂ４，Ｔｂ５，Ｔｂ６で閉じられた１２角形のパターンである。単位パターンＵ８において細線片Ｔａ３，Ｔｂ３が構成する内角、細線片Ｔａ４，Ｔｂ５が構成する内角、細線片Ｔａ５，Ｔｂ２が構成する内角、及び、細線片Ｔａ６，Ｔｂ４が構成する内角は、いずれも１８０°を超える。
【００９１】
電極パターンＰＴにおいて、隣り合う２つの単位パターンＵ８の輪郭は、少なくとも１つの細線片Ｔを共用して形成されている。例えば第１配列方向ＤＵ１に連続する２つの単位パターンＵ８においては、その境界に配置される２本の細線片Ｔａと１本の細線片Ｔｂが、一方の単位パターンＵ８では細線片Ｔａ１，Ｔａ３，Ｔｂ３として用いられ、他方の単位パターンＵ８では細線片Ｔａ６，Ｔａ８，Ｔｂ４として用いられることで、これら単位パターンＵ８の輪郭が形成されている。
【００９２】
本実施形態においては、例えば図２１に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図２１の例では、接続点において細線片Ｔａ，Ｔｂが鋭角又は鈍角にて接続される場合を示しているが、細線片Ｔａ，Ｔｂが直角にて接続されてもよい。
【００９３】
（第９実施形態）
図２２は、第９実施形態に係る電極パターンＰＴの一部を示す模式図である。本実施形態に係る電極パターンＰＴは、図２２の左方に示す単位パターンＵ９を、第１配列方向ＤＵ１及び第２配列方向ＤＵ２に沿って配列して構成される。単位パターンＵ９は、細線片Ｔａ１，Ｔａ２，Ｔａ３，Ｔａ４，Ｔｂ１，Ｔｂ２，Ｔｂ３，Ｔｂ４で閉じられた６角形のパターンである。単位パターンＵ９において細線片Ｔａ２，Ｔｂ２が構成する内角は、１８０°を超える。
【００９４】
電極パターンＰＴにおいて、隣り合う２つの単位パターンＵ９の輪郭は、少なくとも１つの細線片Ｔを共用して形成されている。例えば第１配列方向ＤＵ１に連続する２つの単位パターンＵ９においては、その境界に配置される１本の細線片Ｔａと１本の細線片Ｔｂが、一方の単位パターンＵ９では細線片Ｔａ２，Ｔｂ２として用いられ、他方の単位パターンＵ９では細線片Ｔａ４，Ｔｂ４として用いられることで、これら単位パターンＵ９の輪郭が形成されている。
【００９５】
本実施形態においては、例えば図２２に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図２２の例では、接続点において細線片Ｔａ，Ｔｂが鋭角又は鈍角にて接続される場合を示しているが、細線片Ｔａ，Ｔｂが直角にて接続されてもよい。
【００９６】
（第１０実施形態）
図２３は、第１０実施形態に係る電極パターンＰＴの一部を示す模式図である。本実施形態に係る電極パターンＰＴは、図２３の左方に示す単位パターンＵ１０ａ，Ｕ１０ｂを組み合わせて構成される。具体的には、電極パターンＰＴは、第１配列方向ＤＵ１に沿って並ぶ複数の単位パターンＵ１０ａと、この第１配列方向ＤＵ１に沿って並ぶ複数の単位パターンＵ１０ｂとを、第２配列方向ＤＵ２に沿って交互に配置したパターンである。単位パターンＵ１０ａは、細線片Ｔａ１，Ｔａ２，Ｔａ３，Ｔａ４，Ｔｂ１，Ｔｂ２，Ｔｂ３，Ｔｂ４で閉じられた６角形のパターンである。単位パターンＵ１０ｂは、細線片Ｔａ５，Ｔａ６，Ｔａ７，Ｔａ８，Ｔｂ５，Ｔｂ６，Ｔｂ７，Ｔｂ８で閉じられた６角形のパターンである。単位パターンＵ１０ａ，Ｕ１０ｂは、第２配列方向ＤＵ２に沿う軸に関して線対称の形状である。単位パターンＵ１０ａにおいて細線片Ｔａ２，Ｔｂ２が構成する内角、及び、単位パターンＵ１０ｂにおいて細線片Ｔａ７，Ｔｂ７が構成する内角は、いずれも１８０°を超える。
【００９７】
電極パターンＰＴにおいて、隣り合う２つの単位パターンＵ１０ａ、隣り合う２つの単位パターンＵ１０ｂ、及び、隣り合う単位パターンＵ１０ａと単位パターンＵ１０ｂの輪郭は、少なくとも１つの細線片Ｔを共用して形成されている。例えば第１配列方向ＤＵ１に連続する２つの単位パターンＵ１０ａにおいては、その境界に配置される１本の細線片Ｔａと１本の細線片Ｔｂが、一方の単位パターンＵ１０ａでは細線片Ｔａ２，Ｔｂ２として用いられ、他方の単位パターンＵ１０ａでは細線片Ｔａ４，Ｔｂ４として用いられることで、これら単位パターンＵ１０ａの輪郭が形成されている。
また、例えば第１配列方向ＤＵ１に連続する２つの単位パターンＵ１０ｂにおいては、その境界に配置される１本の細線片Ｔａと１本の細線片Ｔｂが、一方の単位パターンＵ１０ｂでは細線片Ｔａ５，Ｔｂ５として用いられ、他方の単位パターンＵ１０ｂでは細線片Ｔａ７，Ｔｂ７して用いられることで、これら単位パターンＵ１０ｂの輪郭が形成されている。
【００９８】
単位パターンＵ１０ａは、４つの単位パターンＵ１０ｂと隣り合う。単位パターンＵ１０ａの輪郭は、これら４つの単位パターンＵ１０ｂの輪郭と細線片Ｔａ１，Ｔａ３，Ｔｂ１，Ｔｂ３を共用して形成されている。
また、単位パターンＵ１０ｂは、４つの単位パターンＵ１０ａと隣り合う。単位パターンＵ１０ｂの輪郭は、これら４つの単位パターンＵ１０ａの輪郭と細線片Ｔａ６，Ｔａ８，Ｔｂ６，Ｔｂ８を共用して形成されている。
【００９９】
本実施形態においては、例えば図２３に示すように、第１配列方向ＤＵ１に沿って等間隔に並ぶ接続点ＣＰにて構成される接続点群が上述の条件１，２或いは条件３，４を満たすように、細線片Ｔａ，Ｔｂの傾きや長さ或いは各配列方向ＤＵ１，ＤＵ２などを定める。但しこれに限らず、第２配列方向ＤＵ２に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図２３の例では、接続点において細線片Ｔａ，Ｔｂが鋭角又は鈍角にて接続される場合を示しているが、細線片Ｔａ，Ｔｂが直角にて接続されてもよい。
【０１００】
（第１１実施形態）
図２４は、第１１実施形態に係る電極パターンＰＴの一部を示す模式図である。本実施形態に係る電極パターンＰＴは、図２４の左方に示す単位パターンＵ１１ａ，Ｕ１１ｂを組み合わせて構成される。具体的には、電極パターンＰＴは、第１配列方向ＤＵ１及び第２配列方向ＤＵ２に沿って単位パターンＵ１１ａ，Ｕ１１ｂを交互に配置したパターンである。
【０１０１】
単位パターンＵ１１ａ，Ｕ１１ｂは、細線片Ｔａ，Ｔｂに加えて、これら細線片Ｔａ，Ｔｂと異なる角度で傾く細線片Ｔｃを用いて構成される。具体的には、単位パターンＵ１１ａは、細線片Ｔａ１，Ｔｂ１，Ｔｃ１で閉じられた三角形のパターンである。単位パターンＵ１１ｂは、細線片Ｔａ２，Ｔｂ２，Ｔｃ２で閉じられた三角形のパターンである。単位パターンＵ１１ａ，Ｕ１１ｂは、第１配列方向ＤＵ１に沿う軸、及び、第２配列方向ＤＵ２に沿う軸などに関して線対称の形状である。
【０１０２】
電極パターンＰＴにおいて、隣り合う単位パターンＵ１１ａ，Ｕ１１ｂの輪郭は、１つの細線片Ｔを共用して形成されている。例えば第１配列方向ＤＵ１に連続する単位パターンＵ１１ａ，Ｕ１１ｂにおいては、その境界に配置される１本の細線片Ｔｃが、単位パターンＵ１１ａでは細線片Ｔｃ１として用いられ、単位パターンＵ１１ｂでは細線片Ｔｃ２として用いられることで、これら単位パターンＵ１１ａ，Ｕ１１ｂの輪郭が形成されている。
【０１０３】
本実施形態においては、例えば図２４に示すように、第２配列方向ＤＵ２に沿って等間隔に並ぶ接続点ＣＰにて構成される接続点群が上述の条件１，２或いは条件３，４を満たすように、細線片Ｔａ，Ｔｂ，Ｔｃの傾きや長さ或いは各配列方向ＤＵ１，ＤＵ２などを定める。但しこれに限らず、第１配列方向ＤＵ１に沿って等間隔に並ぶ接続点群などの他の接続点群が条件１，２或いは条件３，４を満たすようにしてもよい。また、複数の接続点群が条件１，２或いは条件３，４を満たすようにしてもよい。  
図２４の例では、接続点において細線片Ｔａ，Ｔｂ，Ｔｃが鋭角又は鈍角にて接続される場合を示しているが、細線片Ｔａ，Ｔｂ、細線片Ｔａ，Ｔｃ、及び細線片Ｔｂ，Ｔｃのいずれか１つが直角にて接続されてもよい。
【０１０４】
（第１２実施形態）
図２５は、第１２実施形態に係る電極パターンＰＴの一部を示す模式図である。本実施形態に係る電極パターンＰＴは、図２５の左方に示す単位パターンＵ１２ａ，Ｕ１２ｂを組み合わせて構成される。具体的には、電極パターンＰＴは、第１配列方向ＤＵ１に沿って並ぶ複数の単位パターンＵ１２ａと、この第１配列方向ＤＵ１に沿って並ぶ複数の単位パターンＵ１２ｂとを、第２配列方向ＤＵ２に沿って交互に配置したパターンである。
【０１０５】
単位パターンＵ１２ａ，Ｕ１２ｂは、細線片Ｔａ，Ｔｂに加えて、細線片Ｔｃ，Ｔｄを用いて構成される。これら細線片Ｔａ，Ｔｂ，Ｔｃ，Ｔｄは、互いに異なる角度で傾く。単位パターンＵ１２ａは、細線片Ｔａ１，Ｔａ２，Ｔａ３，Ｔｂ１，Ｔｃ１，Ｔｃ２，Ｔｄ１，Ｔｄ２で閉じられた７角形のパターンである。単位パターンＵ１２ｂは、細線片Ｔａ４，Ｔｂ２，Ｔｂ３，Ｔｂ４，Ｔｃ３，Ｔｃ４，Ｔｄ３，Ｔｄ４で閉じられた７角形のパターンである。単位パターンＵ１２ａ，Ｕ１２ｂは、第２配列方向ＤＵ２に沿う軸に関して線対称の形状である。単位パターンＵ１２ａにおいて細線片Ｔａ２，Ｔｄ１が構成する内角、及び、単位パターンＵ１２ｂにおいて細線片Ｔｂ３，Ｔｃ３が構成する内角は、いずれも１８０°を超える。
【０１０６】
電極パターンＰＴにおいて、隣り合う２つの単位パターンＵ１２ａ、隣り合う２つの単位パターンＵ１２ｂ、及び、隣り合う単位パターンＵ１２ａと単位パターンＵ１２ｂの輪郭は、少なくとも１つの細線片Ｔを共用して形成されている。例えば第１配列方向ＤＵ１に連続する２つの単位パターンＵ１２ａにおいては、その境界に配置される１本の細線片Ｔａが、一方の単位パターンＵ１２ａでは細線片Ｔａ１として用いられ、他方の単位パターンＵ１２ａでは細線片Ｔａ３として用いられることで、これら単位パターンＵ１２ａの輪郭が形成されている。
また、例えば第１配列方向ＤＵ１に連続する２つの単位パターンＵ１２ｂにおいては、その境界に配置される１本の細線片Ｔｂが、一方の単位パターンＵ１２ｂでは細線片Ｔｂ２として用いられ、他方の単位パターンＵ１２ｂでは細線片Ｔｂ４として用いられることで、これら単位パターンＵ１２ｂの輪郭が形成されている。
【０１０７】
単位パターンＵ１２ａは、４つの単位パターンＵ１２ｂと隣り合う。単位パターンＵ１２ａの輪郭は、これら４つの単位パターンＵ１２ｂの輪郭と細線片Ｔａ２，Ｔｂ１，Ｔｃ１，Ｔｃ２，Ｔｄ１，Ｔｄ２を共用して形成されている。
また、単位パターンＵ１２ｂは、４つの単位パターンＵ１２ａと隣り合う。単位パターンＵ１２ｂの輪郭は、これら４つの単位パターンＵ１２ａの輪郭と細線片Ｔａ４，Ｔｂ３，Ｔｃ３，Ｔｃ４，Ｔｄ３，Ｔｄ４を共用して形成されている。
【０１０８】
本実施形態においては、例えば図２５に示すように、第１配列方向ＤＵ１に沿って等間隔に並ぶ接続点ＣＰにて構成される接続点群が上述の条件１，２或いは条件３，４を満たすように、細線片Ｔａ，Ｔｂ，Ｔｃ，Ｔｄの傾きや長さ或いは各配列方向ＤＵ１，ＤＵ２などを定める。但しこれに限らず、第２配列方向ＤＵ２に沿って等間隔に並ぶ接続点群などの他の接続点群が条件１，２或いは条件３，４を満たすようにしてもよい。また、複数の接続点群が条件１，２或いは条件３，４を満たすようにしてもよい。
【０１０９】
（第１３実施形態）
図２６は、第１３実施形態に係る電極パターンＰＴの一部を示す模式図である。本実施形態に係る電極パターンＰＴは、図２６の左方に示す単位パターンＵ１３ａ，Ｕ１３ｂ，Ｕ１３ｃ，Ｕ１３ｄを組み合わせて構成される。具体的には、電極パターンＰＴは、第１配列方向ＤＵ１に沿って交互に並ぶ単位パターンＵ１３ａ，Ｕ１３ｂと、この第１配列方向ＤＵ１に沿って交互に並ぶ単位パターンＵ１３ｃ，Ｕ１３ｄとを、第２配列方向ＤＵ２に沿って交互に配置したパターンである。
【０１１０】
単位パターンＵ１３ａ，Ｕ１３ｂ，Ｕ１３ｃ，Ｕ１３ｄは、細線片Ｔａ，Ｔｂに加えて、細線片Ｔｃ，Ｔｄを用いて構成される。これら細線片Ｔａ，Ｔｂ，Ｔｃ，Ｔｄは、互いに異なる角度で傾く。単位パターンＵ１３ａは、細線片Ｔａ１，Ｔａ２，Ｔｂ１，Ｔｂ２，Ｔｃ１，Ｔｃ２で閉じられた６角形のパターンである。単位パターンＵ１３ｂは、細線片Ｔａ３，Ｔａ４，Ｔｃ３，Ｔｃ４，Ｔｄ１，Ｔｄ２で閉じられた６角形のパターンである。単位パターンＵ１３ｃは、細線片Ｔｂ３，Ｔｂ４，Ｔｃ５，Ｔｃ６，Ｔｄ３，Ｔｄ４で閉じられた６角形のパターンである。単位パターンＵ１３ｄは、細線片Ｔａ５，Ｔａ６，Ｔｂ５，Ｔｂ６，Ｔｄ５，Ｔｄ６で閉じられた６角形のパターンである。単位パターンＵ１３ａと単位パターンＵ１３ｂ、単位パターンＵ１３ｃと単位パターンＵ１３ｄ、単位パターンＵ１３ａと単位パターンＵ１３ｄ、単位パターンＵ１３ｂと単位パターンＵ１３ｃのそれぞれは、いずれも所定の軸に関して線対称の形状である。単位パターンＵ１３ａにおいて細線片Ｔａ２，Ｔｃ２が構成する内角、単位パターンＵ１３ｂにおいて細線片Ｔａ３，Ｔｃ３が構成する内角、単位パターンＵ１３ｃにおいて細線片Ｔｂ３，Ｔｄ３が構成する内角、及び、単位パターンＵ１３ｄにおいて細線片Ｔｂ６，Ｔｄ６が構成する内角は、いずれも１８０°を超える。
【０１１１】
電極パターンＰＴにおいては、単位パターンＵ１３ａ，Ｕ１３ｂ，Ｕ１３ｃ，Ｕ１３ｄのうち、同一の単位パターンが隣り合わない。隣り合う単位パターンの輪郭は、少なくとも１つの細線片Ｔを共用して形成されている。例えば第１配列方向ＤＵ１に連続する単位パターンＵ１３ａと単位パターンＵ１３ｂにおいては、その境界に配置される１本の細線片Ｔｃが、単位パターンＵ１３ａでは細線片Ｔｃ２として用いられ、単位パターンＵ１３ｂでは細線片Ｔｃ３として用いられることで、これら単位パターンＵ１３ａ，Ｕ１３ｂの輪郭が形成されている。或いは、１本の細線片Ｔａが、単位パターンＵ１３ａでは細線片Ｔａ１として用いられ、単位パターンＵ１３ｂでは細線片Ｔａ４として用いられることで、これら単位パターンＵ１３ａ，Ｕ１３ｂの輪郭が形成されている。
【０１１２】
また、例えば第１配列方向ＤＵ１に連続する単位パターンＵ１３ｃと単位パターンＵ１３ｄにおいては、その境界に配置される１本の細線片Ｔｄが、単位パターンＵ１３ｃでは細線片Ｔｄ３として用いられ、単位パターンＵ１３ｄでは細線片Ｔｄ６として用いられることで、これら単位パターンＵ１３ｃ，Ｕ１３ｄの輪郭が形成されている。或いは、１本の細線片Ｔｂが、単位パターン１１ｃにおいては細線片Ｔｂ４として用いられ、単位パターンＵ１３ｄにおいては細線片Ｔｂ５として用いられることで、これら単位パターンＵ１３ｃ，Ｕ１３ｄの輪郭が形成されている。
【０１１３】
また、例えば第２配列方向ＤＵ２に連続する単位パターンＵ１３ａと単位パターンＵ１３ｃにおいては、その境界に配置される１本の細線片Ｔｃが、単位パターンＵ１３ａでは細線片Ｔｃ１として用いられ、単位パターンＵ１３ｃでは細線片Ｔｃ６として用いられることで、これら単位パターンＵ１３ａ，Ｕ１３ｃの輪郭が形成されている。或いは、１本の細線片Ｔｂが、単位パターンＵ１３ａでは細線片Ｔｂ２として用いられ、単位パターンＵ１３ｃでは細線片Ｔｂ３として用いられることで、これら単位パターンＵ１３ａ，Ｕ１３ｃの輪郭が形成されている。
【０１１４】
また、例えば第２配列方向ＤＵ２に連続する単位パターンＵ１３ａと単位パターンＵ１３ｄにおいては、その境界に配置される１本の細線片Ｔａが、単位パターンＵ１３ａでは細線片Ｔａ２として用いられ、単位パターンＵ１３ｄでは細線片Ｔａ５として用いられることで、これら単位パターンＵ１３ａ，Ｕ１３ｄの輪郭が形成されている。或いは、１本の細線片Ｔｂが、単位パターンＵ１３ａでは細線片Ｔｂ１として用いられ、単位パターンＵ１３ｄでは細線片Ｔｂ６として用いられることで、これら単位パターンＵ１３ａ，Ｕ１３ｄの輪郭が形成されている。
【０１１５】
また、例えば第２配列方向ＤＵ２に連続する単位パターンＵ１３ｂと単位パターンＵ１３ｃにおいては、その境界に配置される１本の細線片Ｔｄが、単位パターンＵ１３ｂでは細線片Ｔｄ１として用いられ、単位パターンＵ１３ｃでは細線片Ｔｄ４として用いられることで、これら単位パターンＵ１３ｂ，Ｕ１３ｃの輪郭が形成されている。或いは、１本の細線片Ｔｃが、単位パターンＵ１３ｂでは細線片Ｔｃ４として用いられ、単位パターンＵ１３ｃでは細線片Ｔｃ５として用いられることで、これら単位パターンＵ１３ｂ，Ｕ１３ｃの輪郭が形成されている。
【０１１６】
また、例えば第２配列方向ＤＵ２に連続する単位パターンＵ１３ｂと単位パターンＵ１３ｄにおいては、その境界に配置される１本の細線片Ｔａが、単位パターンＵ１３ｂでは細線片Ｔａ３として用いられ、単位パターンＵ１３ｄでは細線片Ｔａ６として用いられることで、これら単位パターンＵ１３ｂ，Ｕ１３ｄの輪郭が形成されている。或いは、１本の細線片Ｔｄが、単位パターンＵ１３ｂでは細線片Ｔｄ２として用いられ、単位パターンＵ１３ｄでは細線片Ｔｄ５として用いられることで、これら単位パターンＵ１３ｂ，Ｕ１３ｄの輪郭が形成されている。
【０１１７】
本実施形態においては、多種類の細線片Ｔを用いて多種類の単位パターンを構成し、これら単位パターンを用いて電極パターンＰＴを構成しているため、接続点が直線状に並びにくい。このような電極パターンＰＴを用いて液晶表示装置ＤＳＰを構成することにより、表示領域ＤＡと電極パターンＰＴとの干渉に起因したモアレを防止ないしは低減できる。
【０１１８】
なお、本実施形態に係る電極パターンＰＴにおいても、例えば図２６に示す接続点ＣＰのように、直線状に並ぶ接続点群が生じる。このような接続点群が上述の条件１，２或いは条件３，４を満たすように細線片Ｔａ，Ｔｂ，Ｔｃ，Ｔｄの傾きや長さ或いは各配列方向ＤＵ１，ＤＵ２などを定めることで、モアレを防止ないしは低減する効果をより一層高めることができる。
【０１１９】
以上説明した第１〜第１３実施形態のように、単位パターンＵを２次元に配列して構成される電極パターンＰＴにおいては、その単位パターンＵの配列方向に沿って等間隔に並ぶ接続点群が複数存在する。したがって、これら複数の接続点群のうちのいずれかが条件１，２或いは条件３，４を満たすようにすれば、この接続点群と同じ配置間隔でこの接続点群と平行に現れる接続点群に関しても、条件１，２或いは条件３，４が満たされることとなる。
【０１２０】
なお、第１〜第１３実施形態において、ダミー電極ＤＲとしては、例えば各実施形態に係る電極パターンＰＴと同様のパターンを用いることができる。この場合、ダミー電極ＤＲにおけるパターンを電気的にフローティング状態とすべく、例えばダミー電極ＤＲに含まれる各細線片の端部同士が非接続となるように当該パターンを形成してもよい。
【０１２１】
第２〜第１３実施形態のように、細線片Ｔにて閉じられた単位パターンＵにより電極パターンＰＴが構成され、かつ隣り合う単位パターンＵが少なくとも１つの細線片Ｔを共用している場合には、検出電極Ｒｘの断線が生じにくくなる。すなわち、このような電極パターンＰＴにおいては、隣り合う単位パターンＵのいずれか１箇所が断線したとしても、他のルートによりこの断線箇所に隣接する細線片Ｔの電気的な接続を維持することができる。したがって、第２〜第１３実施形態によれば、液晶表示装置ＤＳＰのセンシングに関する信頼性を向上させることができる。
【０１２２】
また、第４〜第７，第１０〜第１３実施形態のように、複数種類の単位パターンＵにて電極パターンＰＴを構成したり、第５，第６，第８〜第１０、第１２，第１３実施形態のように１８０°を超える内角を少なくとも１つ有する多角形の輪郭の単位パターンＵにて電極パターンＰＴを構成したりすることにより、電極パターンＰＴが複雑なものとなり、センサＳＥの検出性能を良好に保つことができる。すなわち、検出面において共通電極ＣＥと細線片Ｔとの非対向領域が広半径に亘って拡がれば、その部分において利用者の指などの近接が検出されにくくなる場合も生じ得る。しかしながら、電極パターンＰＴが上記のように複雑であれば、広半径に亘る非対向領域が生じにくくなるために、センサＳＥの検出性能を良好に保つことができる。  
以上説明した実施形態にて開示した構成は、適宜変形して実施することができる。以下に、いくつかの変形例を示す。
【０１２３】
（変形例１）
表示領域ＤＡにおける画素配列の態様は、図１１及び図１２に示したものに限られない。本変形例においては、図２７を用いて表示領域ＤＡにおける画素配列の他の態様について説明する。図２７に示す表示領域ＤＡにおいては、赤色の副画素ＳＰＸＲ、緑色の副画素ＳＰＸＧ、青色の副画素ＳＰＸＢがＸ方向及びＹ方向に沿ってマトリクス状に配列されている。各副画素ＳＰＸＲ，ＳＰＸＧ，ＳＰＸＢは、Ｘ方向及びＹ方向のそれぞれにおいて、同一の色に対応するものが連続しないように配置されている。１つの単位画素ＰＸは、Ｘ方向に連続する副画素ＳＰＸＲ及び副画素ＳＰＸＧと、この副画素ＳＰＸＲの下方に位置する副画素ＳＰＸＢとによって構成される。
【０１２４】
この表示領域ＤＡにおいては、赤色、緑色、青色のうちで人間の視感度が最も低い緑色の副画素ＳＰＸＧの配列方向が第１方向Ｄ１（画素配列方向）となる。したがって、第１方向Ｄ１は、図示したようにＸ方向及びＹ方向と交わる方向となる。さらに、この第１方向と直交する方向が第２方向Ｄ２となる。
【０１２５】
各副画素ＳＰＸＲ，ＳＰＸＧ，ＳＰＸＢが同一の矩形状であるとすると、この変形例における単位画素ＰＸの第１方向Ｄ１における第１画素ピッチｐａ１は、１つの副画素ＳＰＸの対角線の長さに相当する。また、単位画素ＰＸの第２方向Ｄ２における第２画素ピッチｐａ２は、１つの副画素ＳＰＸの対角線の長さの２倍に相当する。このような表示領域ＤＡを用いる場合であっても、上記実施形態と同様の作用が得られる。
【０１２６】
（変形例２）
本変形例においては、図２８を用いて表示領域ＤＡにおける画素配列のさらに他の態様について説明する。図２８に示す表示領域ＤＡにおいては、赤色の副画素ＳＰＸＲ、緑色の副画素ＳＰＸＧ、青色の副画素ＳＰＸＢ、白色の副画素ＳＰＸＷがＸ方向及びＹ方向に沿ってマトリクス状に配列されている。この表示領域ＤＡは、２種類の単位画素ＰＸ１，ＰＸ２を含む。単位画素ＰＸ１は、Ｘ方向に並ぶ副画素ＳＰＸＲ，ＳＰＸＧ，ＳＰＸＢによって構成される。単位画素ＰＸ２は、Ｘ方向に並ぶ副画素ＳＰＸＲ，ＳＰＸＧ，ＳＰＸＷによって構成される。単位画素ＰＸ１，ＰＸ２は、Ｘ方向において交互に配置される。また、単位画素ＰＸ１，ＰＸ２は、Ｙ方向においても交互に配置される。
【０１２７】
赤色、緑色、青色、白色のうちで人間の視感度が最も高い色は白色である。この表示領域ＤＡにおいて、白色の副画素ＳＰＸＷは、いずれの方向においても連続していない。このような場合には、各色の副画素を組み合わせた平均的な視感度に基づいて、第１方向Ｄ１（画素配列方向）を定義することができる。例えば、Ｙ方向において交互に配置された副画素ＳＰＸＷ，ＳＰＸＢの並びにおいて、副画素ＳＰＸＷ，ＳＰＸＢの平均的な視感度が他の副画素の並びの視感度よりも高いならば、図２８に示すように第１方向Ｄ１をＹ方向と平行な方向として定義できる。この場合にあっては、第１方向Ｄ１と直交する方向、すなわちＸ方向と平行な方向が第２方向Ｄ２となる。なお、図示した例においては、単位画素ＰＸ１，ＰＸ２それぞれの第１方向Ｄ１における第１画素ピッチｐａ１は等しい。また、単位画素ＰＸ１，ＰＸ２それぞれの第２方向Ｄ２における第２画素ピッチｐａ２も等しい。このような表示領域ＤＡを用いる場合であっても、上記実施形態と同様の作用が得られる。
【０１２８】
以上説明した他にも、上記実施形態或いはその変形例として開示した各構成を基にして、当業者が適宜設計変更して実施し得る全ての構成も、本発明の要旨を包含する限り、本発明の範囲に属する。例えば、電極パターンＰＴは上記実施形態或いはその変形例にて開示した技術思想に基づいて設計された部分を含めばよく、実際の製品はその製造過程で生じる誤差や僅かな設計変更に起因して本発明の範囲から外れるものではない。
【０１２９】
また、上記実施形態或いはその変形例において述べた態様によりもたらされる他の作用効果について本明細書の記載から明らかなもの、又は当業者において適宜想到し得るものついては、当然に本発明によりもたらされるものと解される。
【符号の説明】
【０１３０】
ＤＳＰ…液晶表示装置、ＰＮＬ…液晶表示パネル、ＳＥ…センサ、ＤＡ…表示領域、Ｒｘ…検出電極、ＳＰＸＲ，ＳＰＸＧ，ＳＰＸＢ，ＳＰＸＷ…副画素、ＰＸ…単位画素、ＣＥ…共通電極、ＲＣ…検出回路、ｐａ１…第１画素ピッチ、ｐａ２…第２画素ピッチ、ｐｂ１…第１接続点ピッチ、ｐｂ２…第２接続点ピッチ、ＰＴ…電極パターン、Ｕ…単位パターン、Ｗ…検出線、Ｔａ，Ｔｂ…細線片、Ｄ１…第１方向（画素配列方向）、Ｄ２…第２方向、ＤＵ１…第１配列方向、ＤＵ２…第２配列方向、ＣＰ…接続点。
【図１】
2015232818.tif 000003
【図２】
2015232818.tif 000004
【図３】
2015232818.tif 000005
【図４】
2015232818.tif 000006
【図５】
2015232818.tif 000007
【図６】
2015232818.tif 000008
【図７】
2015232818.tif 000009
【図８】
2015232818.tif 000010
【図９】
2015232818.tif 000011
【図１０】
2015232818.tif 000012
【図１１】
2015232818.tif 000013
【図１２】
2015232818.tif 000014
【図１３】
2015232818.tif 000015
【図１４】
2015232818.tif 000016
【図１５】
2015232818.tif 000017
【図１６】
2015232818.tif 000018
【図１７】
2015232818.tif 000019
【図１８】
2015232818.tif 000020
【図１９】
2015232818.tif 000021
【図２０】
2015232818.tif 000022
【図２１】
2015232818.tif 000023
【図２２】
2015232818.tif 000024
【図２３】
2015232818.tif 000025
【図２４】
2015232818.tif 000026
【図２５】
2015232818.tif 000027
【図２６】
2015232818.tif 000028
【図２７】
2015232818.tif 000029
【図２８】
2015232818.tif 000030